(57)【要約】【課題】コンデンサ及びインダクタにより構成される直列共振器を備えたノイズフィルタ及び分波器において、インダクタンス値を増加させることである。【解決手段】第１のインダクタＬ１と、前記第１のインダクタＬ１に直列に接続されている第１のコンデンサＣ１と、前記第１のインダクタＬ１に並列に接続されている第２のコンデンサＣ２と、を備えており、前記第１のインダクタＬ１と前記第２のコンデンサＣ２とにより構成される並列共振器１２と前記第１のコンデンサＬ１とが直列接続されることにより構成される直列共振器１３の第１の共振周波数は、該並列共振器１２の第２の共振周波数より小さいこと、を特徴とするノイズフィルタ１０ａ。【選択図】図１
2015032837.tif 000002
【特許請求の範囲】
【請求項１】
第１のインダクタと、
前記第１のインダクタに直列に接続されている第１のコンデンサと、
前記第１のインダクタに並列に接続されている第２のコンデンサと、
を備えており、
前記第１のインダクタと前記第２のコンデンサとにより構成される並列共振器と前記第１のコンデンサとが直列接続されることにより構成される直列共振器の第１の共振周波数は、該並列共振器の第２の共振周波数より小さいこと、
を特徴とするノイズフィルタ。
【請求項２】
入力端子と、
出力端子と、
接地端子と、
前記入力端子と前記出力端子とを接続する第１の電流経路と、
前記第１の電流経路と前記接地端子との間に接続されている第２の電流経路と、
を備えており、
前記第１のインダクタ、前記第１のコンデンサ及び前記第２のコンデンサは、前記第２の電流経路に設けられていること、
を特徴とする請求項１に記載のノイズフィルタ。
【請求項３】
前記第１の電流経路に設けられているコイル又はコンデンサを、
更に備えていること、
を特徴とする請求項２に記載のノイズフィルタ。
【請求項４】
請求項１ないし請求項３のいずれかに記載の前記ノイズフィルタを、
備えていること、
を特徴とする分波器。
【請求項５】
複数の絶縁体層が積層されることにより構成されている積層体を、
更に備えており、
前記第１のインダクタ、前記第１のコンデンサ及び前記第２のコンデンサは、前記絶縁体層上に設けられた導体により構成されていること、
を特徴とする請求項１ないし請求項４のいずれかに記載のノイズフィルタ又は分波器。
【請求項６】
前記第１のインダクタは、積層方向から平面視したときに所定方向に周回する複数のインダクタ導体、及び、該複数のインダクタ導体を接続し、かつ、前記絶縁体層を貫通するビアホール導体により構成された螺旋状のコイルであり、
積層方向に隣り合う２つの前記インダクタ導体は、同じ形状を有し、かつ、前記ビアホール導体により並列接続されていること、
を特徴とする請求項５に記載のノイズフィルタ又は分波器。
【請求項７】
前記第１のコンデンサは、前記絶縁体層を介して対向する第１のコンデンサ導体及び第２のコンデンサ導体により構成されており、
前記第１のコンデンサ導体は、前記第２のコンデンサ導体よりも小さく、かつ、積層方向から平面視したときに、該第２のコンデンサ導体内に収まっていること、
を特徴とする請求項５又は請求項６のいずれかに記載のノイズフィルタ又は分波器。
【発明の詳細な説明】
【技術分野】
【０００１】
本発明は、ノイズフィルタ及び分波器に関し、コンデンサ及びインダクタにより構成される直列共振器を備えたノイズフィルタ及び分波器に関する。
【背景技術】
【０００２】
従来のノイズフィルタに関する発明としては、例えば、特許文献１に記載のダイプレクサが知られている。特許文献１に記載のダイプレクサでは、ＬＣ直列共振器が用いられている。
【０００３】
ところで、前記ダイプレクサのＬＣ直列共振器を構成しているインダクタのインダクタンス値を大きくしたいという要望がある。インダクタンス値を大きくするためには、例えば、インダクタの巻数を多くすることが挙げられる。しかしながら、インダクタの巻数を多くした場合には、インダクタが大型化し、ダイプレクサが大型化するという問題がある。
【先行技術文献】
【特許文献】
【０００４】
【特許文献１】特開２００３−２０９４５４号公報
【発明の概要】
【発明が解決しようとする課題】
【０００５】
そこで、本発明の目的は、コンデンサ及びインダクタにより構成される直列共振器を備えたノイズフィルタ及び分波器において、インダクタンス値を増加させることである。
【課題を解決するための手段】
【０００６】
本発明の一形態に係るノイズフィルタは、第１のインダクタと、前記第１のインダクタに直列に接続されている第１のコンデンサと、前記第１のインダクタに並列に接続されている第２のコンデンサと、を備えており、前記第１のインダクタと前記第２のコンデンサとにより構成される並列共振器と前記第１のコンデンサとが直列接続されることにより構成される直列共振器の第１の共振周波数は、該並列共振器の第２の共振周波数より小さいこと、を特徴とする。
【０００７】
本発明の一形態に係る分波器は、前記ノイズフィルタを、備えていること、を特徴とする。
【発明の効果】
【０００８】
本発明によれば、コンデンサ及びインダクタにより構成される直列共振器を備えたノイズフィルタ及び分波器において、インダクタンス値を増加させることができる。
【図面の簡単な説明】
【０００９】
【図１】第１の実施形態に係るノイズフィルタの回路図である。
【図２】比較例に係るノイズフィルタの回路図である。
【図３】並列共振器のリアクタンス成分及びインダクタのリアクタンス成分と周波数との関係を示したグラフである。
【図４】並列共振器の実効インダクタンス値と周波数との関係を示したグラフである。
【図５】シミュレーション結果を示したグラフであり、並列共振器のリアクタンス成分及びインダクタのリアクタンス成分と周波数との関係を示したグラフである。
【図６】シミュレーション結果を示したグラフであり、並列共振器の実効インダクタンス値と周波数との関係を示したグラフである。
【図７】通過特性を示したグラフである。
【図８】第２の実施形態に係るノイズフィルタの回路図である。
【図９】比較例に係るノイズフィルタの回路図である。
【図１０】通過特性を示したグラフである。
【図１１】第３の実施形態に係るノイズフィルタの回路図である。
【図１２】比較例に係るノイズフィルタの回路図である。
【図１３】通過特性を示したグラフである。
【図１４】第４の実施形態に係る分波器の回路図である。
【図１５】第４の実施形態に係る分波器の外観斜視図である。
【図１６】第４の実施形態に係る分波器の積層体の分解斜視図である。
【発明を実施するための形態】
【００１０】
以下に、本発明の実施形態に係るノイズフィルタ及び分波器について説明する。
【００１１】
（第１の実施形態）
以下に、第１の実施形態に係るノイズフィルタについて図面を参照しながら説明する。図１は、第１の実施形態に係るノイズフィルタ１０ａの回路図である。
【００１２】
ノイズフィルタ１０ａは、例えば、バンドエリミネーションフィルタであり、図１に示すように、外部電極１４ａ〜１４ｃ、インダクタＬ１（第１のインダクタ）、コンデンサＣ１（第１のコンデンサ）、コンデンサＣ２（第２のコンデンサ）、電流経路ＳＬ１（第１の電流経路）及び電流経路ＳＬ２（第２の電流経路）を備えている。
【００１３】
外部電極１４ａは入力端子であり、外部電極１４ｂは出力端子であり、外部電極１４ｃはグランド端子である。
【００１４】
電流経路ＳＬ１は、外部電極１４ａと外部電極１４ｂとを接続している。電流経路ＳＬ２は、電流経路ＳＬ１と外部電極１４ｃとの間に接続されている。
【００１５】
インダクタＬ１及びコンデンサＣ１，Ｃ２は、電流経路ＳＬ２に設けられている。インダクタＬ１とコンデンサＣ２とは、並列に接続されており、並列共振器１２を構成している。また、インダクタＬ１とコンデンサＣ１とは、直列に接続されている。これにより、並列共振器１２とコンデンサＣ１とが直列接続されることにより、直列共振器１３が構成されている。
【００１６】
ここで、並列共振器１２とコンデンサＣ１とが直列接続されることにより構成される直列共振器１３の共振周波数は、並列共振器１２の共振周波数よりも小さい。これにより、以下に説明するように、インダクタンス値を増加させることができる。図２は、比較例に係るノイズフィルタ１１０ａの回路図である。ノイズフィルタ１１０ａとノイズフィルタ１０ａとの相違点は、コンデンサＣ２の有無である。図３は、並列共振器１２のリアクタンス成分及びインダクタＬ１のリアクタンス成分と周波数との関係を示したグラフである。ｙ軸はリアクタンス成分を示し、ｘ軸は周波数を示す。図４は、並列共振器１２の実効インダクタンス値と周波数との関係を示したグラフである。ｙ軸はインダクタンス値を示し、ｘ軸は周波数を示す。
【００１７】
まず、図２のインダクタＬ１のインピーダンスＺ１００を以下に計算する。
【００１８】
Ｚ１００＝Ｒ＋ｊＸ１００＝０＋ｊＸ１００＝ｊωＬ１＝ｊ２πｆＬ１
【００１９】
よって、インダクタＬ１のリアクタンス成分Ｘ１００は、２πｆＬ１となる。したがって、図３に示すように、インダクタＬ１のリアクタンス成分Ｘ１００と周波数との関係は、原点を通過し、正の傾きを有する直線Ｓ１となる。
【００２０】
次に、図１の並列共振器１２のインピーダンスＺ１０を以下に計算する。
【００２１】
Ｚ１０＝Ｒ＋ｊＸ１０＝０＋ｊＸ１０＝[（ｊωＬ１）×（１／ｊωＣ２）]／[（ｊωＬ１）＋（１／ｊωＣ２）]＝ｊωＬ１／（１−ω2Ｌ１Ｃ２）＝ｊ２πｆＬ１／[１−（２πｆ）2Ｌ１Ｃ２]
【００２２】
よって、並列共振器１２のリアクタンス成分Ｘ１０は、２πｆＬ１／[１−（２πｆ）2Ｌ１Ｃ２]となる。したがって、図３に示すように、並列共振器１２のリアクタンス成分Ｘ１０と周波数との関係は、共振周波数ｆ０に低周波側から近づくにつれて正の無限大に発散し、共振周波数ｆに高周波側から近づくにつれて負の無限大に発散する曲線Ｓ２となる。なお、共振周波数ｆ０は、１／２π√（Ｌ１Ｃ２）である。
【００２３】
ここで、並列共振器１２を１つのインダクタとみなしたときの並列共振器１２のインダクタンス値を実効インダクタンス値Ｌｅｆｆとすると、以下の式が成立する。
【００２４】
Ｚ１０＝Ｒ＋ｊＸ１０＝０＋ｊＸ１０＝ｊ２πｆＬｅｆｆ＝ｊ２πｆＬ１／[１−（２πｆ）2Ｌ１Ｃ２]
【００２５】
よって、Ｌｅｆｆは、Ｌ１／[１−（２πｆ）2Ｌ１Ｃ２]となる。すなわち、並列共振器１２は、Ｌ１／[１−（２πｆ）2Ｌ１Ｃ２]の大きさのインダクタンス値を有するインダクタとみなすことができる。したがって、図４に示すように、並列共振器１２の実効インダクタンス値Ｌｅｆｆと周波数との関係は、曲線Ｓ３となる。曲線Ｓ３は、ｆ＝０のときにＬｅｆｆ＝Ｌ１となり、共振周波数ｆ０に低周波側から近づくにつれて正の無限大に発散し、共振周波数ｆ０に高周波側から近づくにつれて負の無限大に発散する曲線である。図４によれば、インダクタＬ１に対してコンデンサＣ２を並列接続することによって、並列共振器１２の実効インダクタンス値Ｌｅｆｆは、共振周波数ｆ０以下の範囲では、Ｌ１よりも大きくなっている。一方、図４によれば、並列共振器１２の実効インダクタンス値Ｌｅｆｆは、共振周波数ｆ０より大きい範囲では、Ｌ１よりも小さくなっている。
【００２６】
そこで、ノイズフィルタ１０ａでは、並列共振器１２とコンデンサＣ１とが直列接続されることにより構成される直列共振器１３の共振周波数を、並列共振器１２の共振周波数ｆ０よりも小さくしている。直列共振器１３の共振周波数は、ノイズフィルタ１０ａの使用周波数帯域であり、ノイズが除去される周波数帯域である。よって、ノイズフィルタ１０ａでは、使用周波数帯域において、実質的に大きなインダクタンス値を得ることができる。以上より、インダクタンス値の小さなインダクタＬ１に対してコンデンサＣ２を並列接続することにより、所望のインダクタンス値を有する並列共振器１２を得ることができる。
【００２７】
また、インダクタＬ１のサイズは、インダクタンス値の大きさに依存している。よって、ノイズフィルタ１０ａでは、インダクタンス値の小さなインダクタＬ１を用いることができるので、素子の小型化を図ることができる。なお、ノイズフィルタ１０ａでは、インダクタＬ１を小型化できる代わりに、コンデンサＣ２が追加されている。ただし、コンデンサＣ２が設けられたことによるノイズフィルタ１０ａの体積の増加量は、一般的に、インダクタＬ１の小型化によるノイズフィルタ１０ａの体積の減少量よりも小さい。
【００２８】
ここで、本願発明者は、ノイズフィルタ１０ａが奏する効果をより明確にするために、以下に説明するコンピュータシミュレーションを行った。具体的には、本願発明者は、並列共振器１２の第１のモデルないし第４のモデルを作製し、図３及び図４に相当するグラフを作製した。以下に、第１のモデルないし第４のモデルの条件を示す。
【００２９】
第１のモデル
Ｌ１＝３０ｎＨ、Ｃ２＝０．２ｐＦ
第２のモデル
Ｌ１＝３０ｎＨ、Ｃ２＝０．１ｐＦ
第３のモデル
Ｌ１＝２４ｎＨ、Ｃ２＝０．２ｐＦ
第４のモデル
Ｌ１＝３０ｎＨ、Ｃ２＝０ｐＦ
【００３０】
図５は、シミュレーション結果を示したグラフであり、並列共振器１２のリアクタンス成分及びインダクタＬ１のリアクタンス成分と周波数との関係を示したグラフである。ｙ軸はリアクタンス成分を示し、ｘ軸は周波数を示す。図６は、シミュレーション結果を示したグラフであり、並列共振器１２の実効インダクタンス値Ｌｅｆｆと周波数との関係を示したグラフである。ｙ軸はインダクタンス値を示し、ｘ軸は周波数を示す。
【００３１】
図５に示すグラフによれば、図３に示すグラフと同様の結果が得られている。また、図６に示すグラフによれば、図４に示すグラフと同様の結果が得られている。よって、シミュレーション結果からも、ノイズフィルタ１０ａでは、使用周波数帯域において、大きなインダクタンス値を得ることができることが分かる。
【００３２】
次に、本願発明者は、コンピュータシミュレーションにより、ノイズフィルタ１０ａの第５のモデル及びノイズフィルタ１１０ａの第６のモデルを作製し、信号の通過特性を演算した。通過特性とは、外部電極１４ａ，１１４ａから入力した信号の強度に対する外部電極１４ｂ，１１４ｂから出力した信号の強度の比の値である。図７は、通過特性を示したグラフである。縦軸は減衰量を示し、横軸は周波数を示す。
【００３３】
まず、シミュレーション条件について以下に説明する。
【００３４】
第５のモデル
Ｌ１＝４．０６３１７ｎＨ、Ｃ１＝０．５４１４１６ｐＦ、Ｃ２＝０．５１２６１７ｐＦ
第６のモデル
Ｌ１＝１５．２１２ｎＨ、Ｃ１＝０．２８１４１６ｐＦ
【００３５】
図７によれば、第５のモデルの通過特性と第６のモデルの通過特性は、略同じであることが分かる。一方、第５のモデルのインダクタＬ１のインダクタンス値は、第６のモデルのインダクタＬ１のインダクタンス値よりも大幅に小さい。このように、本シミュレーションによれば、小さなインダクタンス値を有するインダクタＬ１を用いたノイズフィルタ１０ａであっても、コンデンサＣ２を追加することによって、大きなインダクタンス値を有するインダクタＬ１を用いたノイズフィルタ１１０ａと同等の性能を得ることができることが分かる。
【００３６】
（第２の実施形態）
以下に、第２の実施形態に係るノイズフィルタについて図面を参照しながら説明する。図８は、第２の実施形態に係るノイズフィルタ１０ｂの回路図である。
【００３７】
ノイズフィルタ１０ｂは、例えば、ハイパスフィルタであり、電流経路ＳＬ１にコンデンサＣ１０が設けられている点においてノイズフィルタ１０ａと相違する。なお、ノイズフィルタ１０ｂのその他の構成は、ノイズフィルタ１０ａと同じであるので説明を省略する。
【００３８】
以上のようなノイズフィルタ１０ｂにおいても、ノイズフィルタ１０ａと同様に、インダクタンス値の小さなインダクタＬ１に対してコンデンサＣ２を並列接続することにより、所望のインダクタンス値を有する並列共振器１２を得ることができる。また、ノイズフィルタ１０ｂでは、ノイズフィルタ１０ａと同様に、素子の小型化を図ることができる。
【００３９】
次に、本願発明者は、ノイズフィルタ１０ｂが奏する効果をより明確にするために、以下に説明するコンピュータシミュレーションを行った。図９は、比較例に係るノイズフィルタ１１０ｂの回路図である。
【００４０】
まず、本願発明者は、比較例に係るノイズフィルタ１１０ｂを作製した。ノイズフィルタ１１０ｂは、コンデンサＣ２が設けられていない点においてノイズフィルタ１０ｂと相違する。そして、本願発明者は、ノイズフィルタ１０ｂの第７のモデル及びノイズフィルタ１１０ｂの第８のモデルを作製し、信号の通過特性を演算した。図１０は、通過特性を示したグラフである。縦軸は減衰量を示し、横軸は周波数を示す。
【００４１】
まず、シミュレーション条件について以下に説明する。
【００４２】
第７のモデル
Ｌ１＝４．８１４ｎＨ、Ｃ１＝０．６５６２ｐＦ、Ｃ２＝０．４６６７ｐＦ
第８のモデル
Ｌ１＝１７．７０３ｎＨ、Ｃ１＝０．３０５６５１ｐＦ
【００４３】
図１０によれば、第７のモデルの通過特性と第８のモデルの通過特性は、略同じであることが分かる。一方、第７のモデルのインダクタＬ１のインダクタンス値は、第８のモデルのインダクタＬ１のインダクタンス値よりも大幅に小さい。このように、本シミュレーションによれば、小さなインダクタンス値を有するインダクタＬ１を用いたノイズフィルタ１０ｂであっても、コンデンサＣ２を追加することによって、大きなインダクタンス値を有するインダクタＬ１を用いたノイズフィルタ１１０ｂと同等の性能を得ることができることが分かる。
【００４４】
（第３の実施形態）
以下に、第３の実施形態に係るノイズフィルタについて図面を参照しながら説明する。図１１は、第３の実施形態に係るノイズフィルタ１０ｃの回路図である。
【００４５】
ノイズフィルタ１０ｃは、例えば、ローパスフィルタであり、電流経路ＳＬ１にインダクタＬ１０が設けられている点においてノイズフィルタ１０ａと相違する。なお、ノイズフィルタ１０ｃのその他の構成は、ノイズフィルタ１０ａと同じであるので説明を省略する。
【００４６】
以上のようなノイズフィルタ１０ｃにおいても、ノイズフィルタ１０ａと同様に、インダクタンス値の小さなインダクタＬ１に対してコンデンサＣ２を並列接続することにより、所望のインダクタンス値を有する並列共振器１２を得ることができる。また、ノイズフィルタ１０ｃでは、ノイズフィルタ１０ａと同様に、素子の小型化を図ることができる。
【００４７】
次に、本願発明者は、ノイズフィルタ１０ｃが奏する効果をより明確にするために、以下に説明するコンピュータシミュレーションを行った。図１２は、比較例に係るノイズフィルタ１１０ｃの回路図である。
【００４８】
まず、本願発明者は、比較例に係るノイズフィルタ１１０ｃを作製した。ノイズフィルタ１１０ｃは、コンデンサＣ２が設けられていない点においてノイズフィルタ１０ｃと相違する。そして、本願発明者は、ノイズフィルタ１０ｃの第９のモデル及びノイズフィルタ１１０ｃの第１０のモデルを作製し、信号の通過特性を演算した。図１３は、通過特性を示したグラフである。縦軸は減衰量を示し、横軸は周波数を示す。
【００４９】
まず、シミュレーション条件について以下に説明する。
【００５０】
第９のモデル
Ｌ１＝３．１６７Ｈ、Ｃ１＝０．４８１ｐＦ、Ｃ２＝０．４５７８ｐＦ
第１０のモデル
Ｌ１＝１１．１ｎＨ、Ｃ１＝０．２６７８ｐＦ
【００５１】
図１３によれば、第９のモデルの通過特性と第１０のモデルの通過特性は、略同じであることが分かる。一方、第９のモデルのインダクタＬ１のインダクタンス値は、第１０のモデルのインダクタＬ１のインダクタンス値よりも大幅に小さい。このように、本シミュレーションによれば、小さなインダクタンス値を有するインダクタＬ１を用いたノイズフィルタ１０ｃであっても、コンデンサＣ２を追加することによって、大きなインダクタンス値を有するインダクタＬ１を用いたノイズフィルタ１１０ｃと同等の性能を得ることができることが分かる。
【００５２】
（第４の実施形態）
次に、第４の実施形態に係る分波器について図面を参照しながら説明する。図１４は、第４の実施形態に係る分波器１００の回路図である。
【００５３】
分波器１００は、例えば、デュプレクサであり、入力信号の内の相対的に高い周波数帯域の信号を一方の外部電極から出力し、入力信号の内の相対的に低い周波数帯域の信号を他方の外部電極から出力する。分波器１００は、図１４に示すように、外部電極１４ｄ〜１４ｉ、インダクタＬ２１，Ｌ３０，Ｌ３１、コンデンサＣ２１，Ｃ２２，Ｃ３０，Ｃ３１，Ｃ３２及び電流経路ＳＬ１１，ＳＬ１２，ＳＬ２１，ＳＬ２２を備えている。
【００５４】
外部電極１４ｄは入力端子であり、外部電極１４ｅ，１４ｆは出力端子であり、外部電極１４ｇ〜１４ｉはグランド端子である。なお、外部電極１４ｄには、例えば、携帯電話のアンテナが電気的に接続される。外部電極１４ｅ，１４ｆにはそれぞれ、携帯電話の信号処理回路が接続される。
【００５５】
電流経路ＳＬ１１は、外部電極１４ｄと外部電極１４ｅとを接続している。電流経路ＳＬ１２は、電流経路ＳＬ１１と外部電極１４ｇ〜１４ｉとの間に接続されている。
【００５６】
インダクタＬ３０は、電流経路ＳＬ１１に設けられている。インダクタＬ２１及びコンデンサＣ２１，Ｃ２２は、電流経路ＳＬ１２に設けられている。インダクタＬ２１とコンデンサＣ２２とは、並列に接続されており、並列共振器１２ａを構成している。また、インダクタＬ２１とコンデンサＣ２１とは、直列に接続されている。これにより、並列共振器１２ａとコンデンサＣ２１とが直列接続されることにより、直列共振器１３ａが構成されている。インダクタＬ２１，Ｌ３０及びコンデンサＣ２１，Ｃ２２は、ローパスフィルタＬＰＦを構成している。
【００５７】
ここで、並列共振器１２ａとコンデンサＣ２１とが直列接続されることにより構成される直列共振器１３ａの共振周波数は、並列共振器１２ａの共振周波数よりも小さい。
【００５８】
電流経路ＳＬ２１は、外部電極１４ｄと外部電極１４ｆとを接続している。電流経路ＳＬ２２は、電流経路ＳＬ２１と外部電極１４ｇ〜１４ｉとの間に接続されている。
【００５９】
コンデンサＣ３０は、電流経路ＳＬ２１に設けられている。インダクタＬ３１及びコンデンサＣ３１，Ｃ３２は、電流経路ＳＬ２２に設けられている。インダクタＬ３１とコンデンサＣ３２とは、並列に接続されており、並列共振器１２ｂを構成している。また、インダクタＬ３１とコンデンサＣ３１とは、直列に接続されている。これにより、並列共振器１２ｂとコンデンサＣ３１とが直列接続されることにより、直列共振器１３ｂが構成されている。インダクタＬ３１及びコンデンサＣ３０，Ｃ３１，Ｃ３２は、ハイパスフィルタＨＰＦを構成している。
【００６０】
ここで、並列共振器１２ｂとコンデンサＣ３１とが直列接続されることにより構成される直列共振器１３ｂの共振周波数は、並列共振器１２ｂの共振周波数よりも小さい。
【００６１】
次に、分波器１００の具体的構成について図面を参照しながら説明する。図１５は、第４の実施形態に係る分波器１００の外観斜視図である。図１６は、第４の実施形態に係る分波器１００の積層体１１２の分解斜視図である。図１５及び図１６における積層方向を上下方向と呼ぶ。また、分波器１００を上側から平面視したときに、長辺が延在する方向を左右方向と呼び、短辺が延在する方向を前後方向と呼ぶ。
【００６２】
分波器１００は、積層体１１２、外部電極１４ｄ〜１４ｉ、インダクタＬ２１，Ｌ３０，Ｌ３１、コンデンサＣ２１，Ｃ２２，Ｃ３０，Ｃ３１，Ｃ３２及びビアホール導体ｖ１１〜ｖ１６，ｖ３７〜ｖ４４を備えている。
【００６３】
積層体１１２は、絶縁体層１１６ａ〜１１６ｐが上側から下側へとこの順に並ぶように積層されて構成されており、直方体状をなしている。絶縁体層１１６ａ〜１１６ｐは、誘電体材料により作製されており、上側から平面視したときに長方形状をなしている。以下では、絶縁体層１１６ａ〜１１６ｐの上側の面を表面と呼び、下側の面を裏面と呼ぶ。
【００６４】
外部電極１４ｇ，１４ｄ，１４ｉは、積層体１１２の前側の側面に設けられており、左側から右側へとこの順に並んでいる。外部電極１４ｅ，１４ｈ，１４ｆは、積層体１１２の後ろ側の側面に設けられており、左側から右側へとこの順に並んでいる。外部電極１４ｅ〜１４ｉは、図１５に示すように、上下方向に延在する帯状をなしており、上面及び下面に折り返されている。
【００６５】
インダクタＬ３０は、インダクタ導体１２０ａ〜１２０ｈ及びビアホール導体ｖ２１〜ｖ２９により構成された螺旋状のコイルである。
【００６６】
インダクタ導体１２０ｈは、絶縁体層１１６ｉの表面上に設けられており、上側から平面視したときに、反時計回り方向に周回する線状導体である。インダクタ導体１２０ｇは、絶縁体層１１６ｈの表面上に設けられており、上側から平面視したときに、反時計回り方向に周回する線状導体である。インダクタ導体１２０ｇ，１２０ｈは、絶縁体層１１６ｈ，１１６ｉにおいて前半分かつ左半分の領域に設けられている。積層方向に隣り合うインダクタ導体１２０ｇとインダクタ導体１２０ｈとは、同じ形状をなしており、かつ、上側から平面視したときに一致した状態で重なっている。
【００６７】
インダクタ導体１２０ｆは、絶縁体層１１６ｇの表面上に設けられており、上側から平面視したときに、反時計回り方向に周回する線状導体である。インダクタ導体１２０ｅは、絶縁体層１１６ｆの表面上に設けられており、上側から平面視したときに、反時計回り方向に周回する線状導体である。積層方向に隣り合うインダクタ導体１２０ｅ，１２０ｆは、絶縁体層１１６ｆ，１１６ｇにおいて前半分かつ左半分の領域に設けられている。インダクタ導体１２０ｅとインダクタ導体１２０ｆとは、同じ形状をなしており、かつ、上側から平面視したときに一致した状態で重なっている。
【００６８】
インダクタ導体１２０ｄは、絶縁体層１１６ｅの表面上に設けられており、上側から平面視したときに、反時計回り方向に周回する線状導体である。インダクタ導体１２０ｃは、絶縁体層１１６ｄの表面上に設けられており、上側から平面視したときに、反時計回り方向に周回する線状導体である。インダクタ導体１２０ｃ，１２０ｄは、絶縁体層１１６ｄ，１１６ｅにおいて前半分かつ左半分の領域に設けられている。積層方向に隣り合うインダクタ導体１２０ｃとインダクタ導体１２０ｄとは、同じ形状をなしており、かつ、上側から平面視したときに一致した状態で重なっている。
【００６９】
インダクタ導体１２０ｂは、絶縁体層１１６ｃの表面上に設けられており、上側から平面視したときに、反時計回り方向に周回する線状導体である。インダクタ導体１２０ａは、絶縁体層１１６ｂの表面上に設けられており、上側から平面視したときに、反時計回り方向に周回する線状導体である。インダクタ導体１２０ａ，１２０ｂは、絶縁体層１１６ｂ，１１６ｃにおいて前半分かつ左半分の領域に設けられている。積層方向に隣り合うインダクタ導体１２０ａとインダクタ導体１２０ｂとは、同じ形状をなしており、かつ、上側から平面視したときに一致した状態で重なっている。以下では、インダクタ導体１２０ａ〜１２０ｈの反時計回り方向の上流側の端部を単に上流端と呼び、インダクタ導体１２０ａ〜１２０ｈの反時計回り方向の下流側の端部を単に下流端と呼ぶ。
【００７０】
ビアホール導体ｖ２９は、絶縁体層１１６ｈを上下方向に貫通しており、インダクタ導体１２０ｇの下流端とインダクタ導体１２０ｈの下流端とを接続している。また、インダクタ導体１２０ｇ，１２０ｈの反時計回り方向の上流側の端部は、外部電極１４ｄに接続されている。これにより、インダクタ導体１２０ｇ，１２０ｈは並列接続されている。
【００７１】
ビアホール導体ｖ２８は、絶縁体層１１６ｇを上下方向に貫通しており、インダクタ導体１２０ｆの上流端とインダクタ導体１２０ｇの下流端とを接続している。
【００７２】
ビアホール導体ｖ２７は、絶縁体層１１６ｆを上下方向に貫通しており、インダクタ導体１２０ｅの上流端とインダクタ導体１２０ｆの上流端とを接続している。ビアホール導体ｖ２６は、絶縁体層１１６ｆを上下方向に貫通しており、インダクタ導体１２０ｅの下流端とインダクタ導体１２０ｆの下流端とを接続している。これにより、インダクタ導体１２０ｅ，１２０ｆは並列接続されている。
【００７３】
ビアホール導体ｖ２５は、絶縁体層１１６ｅを上下方向に貫通しており、インダクタ導体１２０ｄの上流端とインダクタ導体１２０ｅの下流端とを接続している。
【００７４】
ビアホール導体ｖ２４は、絶縁体層１１６ｄを上下方向に貫通しており、インダクタ導体１２０ｃの上流端とインダクタ導体１２０ｄの上流端とを接続している。ビアホール導体ｖ２３は、絶縁体層１１６ｄを上下方向に貫通しており、インダクタ導体１２０ｃの下流端とインダクタ導体１２０ｄの下流端とを接続している。これにより、インダクタ導体１２０ｃ，１２０ｄは並列接続されている。
【００７５】
ビアホール導体ｖ２２は、絶縁体層１１６ｃを上下方向に貫通しており、インダクタ導体１２０ｂの上流端とインダクタ導体１２０ｃの下流端とを接続している。
【００７６】
ビアホール導体ｖ２１は、絶縁体層１１６ｂを上下方向に貫通しており、インダクタ導体１２０ａの上流端とインダクタ導体１２０ｂの上流端とを接続している。
【００７７】
インダクタＬ２１は、インダクタ導体１１８ａ〜１１８ｈ及びビアホール導体ｖ１〜ｖ１０により構成された螺旋状のコイルである。
【００７８】
インダクタ導体１１８ａは、絶縁体層１１６ｂの表面上に設けられており、上側から平面視したときに、時計回り方向に周回する線状導体である。インダクタ導体１１８ａとインダクタ導体１２０ａとは接続されている。インダクタ導体１１８ｂは、絶縁体層１１６ｃの表面上に設けられており、上側から平面視したときに、時計回り方向に周回する線状導体である。インダクタ導体１１８ｂとインダクタ導体１２０ｂとは接続されている。インダクタ導体１１８ａ，１１８ｂは、絶縁体層１１６ｂ，１１６ｃにおいて後ろ半分かつ左半分の領域に設けられている。積層方向に隣り合うインダクタ導体１１８ａとインダクタ導体１１８ｂとは、同じ形状をなしており、かつ、上側から平面視したときに一致した状態で重なっている。
【００７９】
インダクタ導体１１８ｃは、絶縁体層１１６ｄの表面上に設けられており、上側から平面視したときに、時計回り方向に周回する線状導体である。インダクタ導体１１８ｄは、絶縁体層１１６ｅの表面上に設けられており、上側から平面視したときに、時計回り方向に周回する線状導体である。インダクタ導体１１８ｃ，１１８ｄは、絶縁体層１１６ｄ，１１６ｅにおいて後ろ半分かつ左半分の領域に設けられている。積層方向に隣り合うインダクタ導体１１８ｃとインダクタ導体１１８ｄとは、同じ形状をなしており、かつ、上側から平面視したときに一致した状態で重なっている。
【００８０】
インダクタ導体１１８ｅは、絶縁体層１１６ｆの表面上に設けられており、上側から平面視したときに、時計回り方向に周回する線状導体である。インダクタ導体１１８ｆは、絶縁体層１１６ｇの表面上に設けられており、上側から平面視したときに、時計回り方向に周回する線状導体である。インダクタ導体１１８ｅ，１１８ｆは、絶縁体層１１６ｆ，１１６ｇにおいて後ろ半分かつ左半分の領域に設けられている。積層方向に隣り合うインダクタ導体１１８ｅとインダクタ導体１１８ｆとは、同じ形状をなしており、かつ、上側から平面視したときに一致した状態で重なっている。
【００８１】
インダクタ導体１１８ｇは、絶縁体層１１６ｈの表面上に設けられており、上側から平面視したときに、時計回り方向に周回する線状導体である。インダクタ導体１１８ｈは、絶縁体層１１６ｉの表面上に設けられており、上側から平面視したときに、時計回り方向に周回する線状導体である。インダクタ導体１１８ｇ，１１８ｈは、絶縁体層１１６ｈ，１１６ｉにおいて後ろ半分かつ左半分の領域に設けられている。積層方向に隣り合うインダクタ導体１１８ｇとインダクタ導体１１８ｈとは、同じ形状をなしており、かつ、上側から平面視したときに一致した状態で重なっている。以下では、インダクタ導体１１８ａ〜１１８ｈの時計回り方向の上流側の端部を単に上流端と呼び、インダクタ導体１１８ａ〜１１８ｈの時計回り方向の下流側の端部を単に下流端と呼ぶ。
【００８２】
ビアホール導体ｖ１は、絶縁体層１１６ｂを上下方向に貫通しており、インダクタ導体１１８ａの下流端とインダクタ導体１１８ｂの下流端とを接続している。また、インダクタ導体１１８ａ，１１８ｂの時計回り方向の上流側の端部は、外部電極１４ｅに接続されている。これにより、インダクタ導体１１８ａ，１１８ｂは並列接続されている。また、インダクタ導体１２０ａ，１２０ｂは、インダクタ導体１１８ａ，１１８ｂに接続されているので、並列接続されている。
【００８３】
ビアホール導体ｖ２は、絶縁体層１１６ｃを上下方向に貫通しており、インダクタ導体１１８ｂの下流端とインダクタ導体１１８ｃの上流端とを接続している。
【００８４】
ビアホール導体ｖ３は、絶縁体層１１６ｄを上下方向に貫通しており、インダクタ導体１１８ｃの上流端とインダクタ導体１１８ｄの上流端とを接続している。ビアホール導体ｖ４は、絶縁体層１１６ｄを上下方向に貫通しており、インダクタ導体１１８ｃの下流端とインダクタ導体１１８ｄの下流端とを接続している。これにより、インダクタ導体１１８ｃ，１１８ｄは並列接続されている。
【００８５】
ビアホール導体ｖ５は、絶縁体層１１６ｅを上下方向に貫通しており、インダクタ導体１１８ｄの下流端とインダクタ導体１１８ｅの上流端とを接続している。
【００８６】
ビアホール導体ｖ６は、絶縁体層１１６ｆを上下方向に貫通しており、インダクタ導体１１８ｅの上流端とインダクタ導体１１８ｆの上流端とを接続している。ビアホール導体ｖ７は、絶縁体層１１６ｆを上下方向に貫通しており、インダクタ導体１１８ｅの下流端とインダクタ導体１１８ｆの下流端とを接続している。これにより、インダクタ導体１１８ｅ，１１８ｆは並列接続されている。
【００８７】
ビアホール導体ｖ８は、絶縁体層１１６ｇを上下方向に貫通しており、インダクタ導体１１８ｆの下流端とインダクタ導体１１８ｇの上流端とを接続している。
【００８８】
ビアホール導体ｖ９は、絶縁体層１１６ｈを上下方向に貫通しており、インダクタ導体１１８ｇの上流端とインダクタ導体１１８ｈの上流端とを接続している。ビアホール導体ｖ１０は、絶縁体層１１６ｈを上下方向に貫通しており、インダクタ導体１１８ｇの下流端とインダクタ導体１１８ｈの下流端とを接続している。これにより、インダクタ導体１１８ｇ，１１８ｈは並列接続されている。
【００８９】
インダクタＬ３１は、インダクタ導体１２２ａ〜１２２ｆ及びビアホール導体ｖ３０〜ｖ３６により構成された螺旋状のコイルである。
【００９０】
インダクタ導体１２２ａは、絶縁体層１１６ｂの表面上に設けられており、上側から平面視したときに、反時計回り方向に周回する線状導体である。インダクタ導体１２２ｂは、絶縁体層１１６ｃの表面上に設けられており、上側から平面視したときに、反時計回り方向に周回する線状導体である。インダクタ導体１２２ａ，１２２ｂは、絶縁体層１１６ｂ，１１６ｃにおいて右半分の領域に設けられている。積層方向に隣り合うインダクタ導体１２２ａとインダクタ導体１２２ｂとは、同じ形状をなしており、かつ、上側から平面視したときに一致した状態で重なっている。
【００９１】
インダクタ導体１２２ｃは、絶縁体層１１６ｄの表面上に設けられており、上側から平面視したときに、反時計回り方向に周回する線状導体である。インダクタ導体１２２ｄは、絶縁体層１１６ｅの表面上に設けられており、上側から平面視したときに、反時計回り方向に周回する線状導体である。インダクタ導体１２２ｃ，１２２ｄは、絶縁体層１１６ｄ，１１６ｅにおいて右半分の領域に設けられている。積層方向に隣り合うインダクタ導体１２２ｃとインダクタ導体１２２ｄとは、同じ形状をなしており、かつ、上側から平面視したときに一致した状態で重なっている。
【００９２】
インダクタ導体１２２ｅは、絶縁体層１１６ｆの表面上に設けられており、上側から平面視したときに、反時計回り方向に周回する線状導体である。インダクタ導体１２２ｆは、絶縁体層１１６ｇの表面上に設けられており、上側から平面視したときに、反時計回り方向に周回する線状導体である。インダクタ導体１２２ｅ，１２２ｆは、絶縁体層１１６ｆ，１１６ｇにおいて右半分の領域に設けられている。積層方向に隣り合うインダクタ導体１２２ｅとインダクタ導体１２２ｆとは、同じ形状をなしており、かつ、上側から平面視したときに一致した状態で重なっている。以下では、インダクタ導体１２２ａ〜１２２ｆの反時計回り方向の上流側の端部を単に上流端と呼び、インダクタ導体１２２ａ〜１２２ｆの反時計回り方向の下流側の端部を単に下流端と呼ぶ。
【００９３】
ビアホール導体ｖ３０は、絶縁体層１１６ｂを上下方向に貫通しており、インダクタ導体１２２ａの下流端とインダクタ導体１２２ｂの下流端とを接続している。また、インダクタ導体１２２ａ，１２２ｂの上流端は、外部電極１４ｆに接続されている。これにより、インダクタ導体１２２ａ，１２２ｂは並列接続されている。
【００９４】
ビアホール導体ｖ３１は、絶縁体層１１６ｃを上下方向に貫通しており、インダクタ導体１２２ｂの下流端とインダクタ導体１２２ｃの上流端とを接続している。
【００９５】
ビアホール導体ｖ３２は、絶縁体層１１６ｄを上下方向に貫通しており、インダクタ導体１２２ｃの上流端とインダクタ導体１２２ｄの上流端とを接続している。ビアホール導体ｖ３３は、絶縁体層１１６ｄを上下方向に貫通しており、インダクタ導体１２２ｃの下流端とインダクタ導体１２２ｄの下流端とを接続している。これにより、インダクタ導体１２２ｃ，１２２ｄは並列接続されている。
【００９６】
ビアホール導体ｖ３４は、絶縁体層１１６ｅを上下方向に貫通しており、インダクタ導体１２２ｄの下流端とインダクタ導体１２２ｅの上流端とを接続している。
【００９７】
ビアホール導体ｖ３５は、絶縁体層１１６ｆを上下方向に貫通しており、インダクタ導体１２２ｅの上流端とインダクタ導体１２２ｆの上流端とを接続している。ビアホール導体ｖ３６は、絶縁体層１１６ｆを上下方向に貫通しており、インダクタ導体１２２ｅの下流端とインダクタ導体１２２ｆの下流端とを接続している。これにより、インダクタ導体１２２ｅ，１２２ｆは並列接続されている。
【００９８】
コンデンサＣ２２は、コンデンサ導体１２４，１２６，１２８により構成されている。コンデンサ導体１２４は、絶縁体層１１６ｍの表面上に設けられており、長方形状をなしている。コンデンサ導体１２４は、絶縁体層１１６ｍにおいて後ろ半分かつ左半分の領域に設けられている。コンデンサ導体１２８は、絶縁体層１１６ｏの表面上に設けられており、長方形状をなしている。コンデンサ導体１２８は、絶縁体層１１６ｏにおいて後ろ半分かつ左半分の領域に設けられている。コンデンサ導体１２４とコンデンサ導体１２８とは、同じ形状をなしており、上側から平面視したときに、一致した状態で重なっている。
【００９９】
コンデンサ導体１２６は、絶縁体層１１６ｎの表面上に設けられており、長方形状をなしているコンデンサ導体１２６は、絶縁体層１１６ｎにおいて後ろ半分かつ左半分の領域に設けられている。これにより、コンデンサ導体１２６は、絶縁体層１１６ｍを介してコンデンサ導体１２４と対向しており、絶縁体層１１６ｎを介してコンデンサ導体１２８と対向している。ただし、コンデンサ導体１２６は、コンデンサ導体１２４，１２８よりも小さいので、上側から平面視したときに、コンデンサ導体１２４，１２８内に収まっている。これにより、コンデンサＣ２２が形成されている。
【０１００】
また、コンデンサ導体１２６は、外部電極１４ｅに接続されている。更に、ビアホール導体ｖ１１〜ｖ１６はそれぞれ、絶縁体層１１６ｉ〜１１６ｎを上下方向に貫通しており、互いに接続されることにより１本のビアホール導体を構成している。また、ビアホール導体ｖ１１は、インダクタ導体１１８ｈの下流端に接続されている。ビアホール導体ｖ１４は、コンデンサ導体１２４に接続されている。ビアホール導体ｖ１６は、コンデンサ導体１２８に接続されている。よって、コンデンサＣ２２は、インダクタＬ２１に並列に接続されている。
【０１０１】
コンデンサＣ２１は、コンデンサ導体１２８，１３０により構成されている。コンデンサ導体１３０は、絶縁体層１１６ｐの表面上に設けられており、絶縁体層１１６ｐの略全面を覆っている。コンデンサ導体１２８は、コンデンサ導体１３０よりも小さいので、上側から平面視したときに、コンデンサ導体１３０内に収まっている。これにより、コンデンサ導体１３０は、絶縁体層１１６ｏを介してコンデンサ導体１２８と対向している。これにより、コンデンサＣ２１が形成されている。
【０１０２】
また、コンデンサ導体１３０は、外部電極１４ｇ〜１４ｉに接続されている。更に、ビアホール導体ｖ１１〜ｖ１６はそれぞれ、絶縁体層１１６ｉ〜１１６ｎを上下方向に貫通しており、互いに接続されることにより１本のビアホール導体を構成している。また、ビアホール導体ｖ１１は、インダクタ導体１１８ｈの下流端に接続されている。ビアホール導体ｖ１６は、コンデンサ導体１２８に接続されている。よって、コンデンサＣ２１は、インダクタＬ２１と外部電極１４ｇ〜１４ｉとの間に接続されている。
【０１０３】
コンデンサＣ３０は、コンデンサ導体１３２，１３４，１３６により構成されている。コンデンサ導体１３２は、絶縁体層１１６ｊの表面上に設けられており、長方形状をなしている。コンデンサ導体１３２は、絶縁体層１１６ｊにおいて前半分かつ右半分の領域に設けられている。コンデンサ導体１３６は、絶縁体層１１６ｌの表面上に設けられており、長方形状をなしている。コンデンサ導体１３６は、絶縁体層１１６ｌにおいて前半分かつ右半分の領域に設けられている。コンデンサ導体１３２とコンデンサ導体１３６とは、同じ形状をなしており、上側から平面視したときに、一致した状態で重なっている。
【０１０４】
コンデンサ導体１３４は、絶縁体層１１６ｋの表面上に設けられており、長方形状をなしている。コンデンサ導体１３４は、絶縁体層１１６ｋにおいて前半分かつ右半分の領域に設けられている。これにより、コンデンサ導体１３４は、絶縁体層１１６ｊを介してコンデンサ導体１３２と対向しており、絶縁体層１１６ｋを介してコンデンサ導体１３６と対向している。ただし、コンデンサ導体１３４は、コンデンサ導体１３２，１３６よりも小さいので、上側から平面視したときに、コンデンサ導体１３２，１３６内に収まっている。これにより、コンデンサＣ３０が形成されている。
【０１０５】
また、コンデンサ導体１３４は、外部電極１４ｆに接続されている。コンデンサ導体１３２，１３６は、外部電極１４ｄに接続されている。これにより、コンデンサＣ３０は、外部電極１４ｄと外部電極１４ｆとの間に接続されている。
【０１０６】
コンデンサＣ３２は、コンデンサ導体１３８，１４０，１４２により構成されている。コンデンサ導体１３８は、絶縁体層１１６ｍの表面上に設けられており、長方形状をなしている。コンデンサ導体１３８は、絶縁体層１１６ｍにおいて後ろ半分かつ右半分の領域に設けられている。コンデンサ導体１４２は、絶縁体層１１６ｏの表面上に設けられており、長方形状をなしている。コンデンサ導体１４２は、絶縁体層１１６ｏにおいて後ろ半分かつ右半分の領域に設けられている。コンデンサ導体１３８とコンデンサ導体１４２とは、同じ形状をなしており、上側から平面視したときに、一致した状態で重なっている。
【０１０７】
コンデンサ導体１４０は、絶縁体層１１６ｎの表面上に設けられており、長方形状をなしている。コンデンサ導体１４０は、絶縁体層１１６ｎにおいて後ろ半分かつ右半分の領域に設けられている。これにより、コンデンサ導体１４０は、絶縁体層１１６ｍを介してコンデンサ導体１３８と対向しており、絶縁体層１１６ｎを介してコンデンサ導体１４２と対向している。ただし、コンデンサ導体１４０は、コンデンサ導体１３８，１４２よりも小さいので、上側から平面視したときに、コンデンサ導体１３８，１４２内に収まっている。これにより、コンデンサＣ３２が形成されている。
【０１０８】
また、コンデンサ導体１４０は、外部電極１４ｆに接続されている。更に、ビアホール導体ｖ３７〜ｖ４４はそれぞれ、絶縁体層１１６ｇ〜１１６ｎを上下方向に貫通しており、互いに接続されることにより１本のビアホール導体を構成している。また、ビアホール導体ｖ３７は、インダクタ導体１２２ｈの下流端に接続されている。ビアホール導体ｖ４２は、コンデンサ導体１３８に接続されている。ビアホール導体ｖ４４は、コンデンサ導体１４２に接続されている。よって、コンデンサＣ３２は、インダクタＬ３１に並列に接続されている。
【０１０９】
コンデンサＣ３１は、コンデンサ導体１４２，１３０により構成されている。コンデンサ導体１３０は、絶縁体層１１６ｐの表面上に設けられており、絶縁体層１１６ｐの略全面を覆っている。これにより、コンデンサ導体１３０は、絶縁体層１１６ｏを介してコンデンサ導体１４２と対向している。コンデンサ導体１４２は、コンデンサ導体１３０よりも小さいので、上側から平面視したときに、コンデンサ導体１３０内に収まっている。これにより、コンデンサＣ３１が形成されている。
【０１１０】
また、コンデンサ導体１３０は、外部電極１４ｇ〜１４ｉに接続されている。更に、ビアホール導体ｖ３７〜ｖ４４はそれぞれ、絶縁体層１１６ｇ〜１１６ｎを上下方向に貫通しており、互いに接続されることにより１本のビアホール導体を構成している。また、ビアホール導体ｖ３７は、インダクタ導体１２２ｆの下流端に接続されている。ビアホール導体ｖ４４は、コンデンサ導体１４２に接続されている。よって、コンデンサＣ３１は、インダクタＬ３１と外部電極１４ｇ〜１４ｉとの間に接続されている。
【０１１１】
以上のように構成された分波器１００によれば、ノイズフィルタ１０ａと同様に、インダクタンス値の小さなインダクタＬ２１に対してコンデンサＣ２２を並列接続することにより、所望のインダクタンス値を有する並列共振器１２ａを得ることができる。更に、インダクタンス値の小さなインダクタＬ３１に対してコンデンサＣ３２を並列接続することにより、所望のインダクタンス値を有する並列共振器１２ｂを得ることができる。また、分波器１００では、ノイズフィルタ１０ａと同様に、素子の小型化を図ることができる。
【０１１２】
また、分波器１００によれば、インダクタＬ２１，Ｌ３０，Ｌ３１において積層方向に隣り合うインダクタ導体が並列接続されている。これにより、インダクタＬ２１，Ｌ３０，Ｌ３１の直流抵抗値の低減が図られている。
【０１１３】
また、分波器１００によれば、コンデンサＣ３０において、コンデンサ導体１３４は、コンデンサ導体１３２，１３６内に収まっている。そのため、積層体１１２に積みずれが発生したとしても、コンデンサ導体１３４がコンデンサ導体１３２，１３６からはみ出すことが抑制される。その結果、積層体１１２に積みずれが発生しても、コンデンサＣ３０の容量値が変動することが抑制される。同じ理由により、コンデンサＣ２１，Ｃ２２，Ｃ３０〜Ｃ３２の容量値が変動することが抑制される。
【産業上の利用可能性】
【０１１４】
以上のように、本発明は、ノイズフィルタ及び分波器に有用であり、特に、コンデンサ及びインダクタにより構成される直列共振器を備えたノイズフィルタ及び分波器において、インダクタンス値を増加させることができる点において優れている。
【符号の説明】
【０１１５】
Ｃ１，Ｃ２，Ｃ１０，Ｃ２１，Ｃ２２，Ｃ３０，Ｃ３１，Ｃ３２  コンデンサ
ＨＰＦ  ハイパスフィルタ
Ｌ１，Ｌ１０，Ｌ２１，Ｌ３０，Ｌ３１  インダクタ
ＬＰＦ  ローパスフィルタ
ＳＬ１，ＳＬ２，ＳＬ１１，ＳＬ１２  電流経路
ｖ１〜ｖ１６，ｖ２１〜ｖ４４  ビアホール導体
１０ａ〜１０ｃ  ノイズフィルタ
１２，１２ａ，１２ｂ  並列共振器
１３，１３ａ，１３ｂ  直列共振器
１４ａ〜１４ｉ  外部電極
１００  分波器
１１６ａ〜１１６ｐ  絶縁体層
１１８ａ〜１１８ｈ，１２０ａ〜１２０ｈ，１２２ａ〜１２２ｈ  インダクタ導体
１２４，１２８，１３０，１３２，１３４，１３６，１３８，１４０，１４２  コンデンサ導体
【図１】
2015032837.tif 000003
【図２】
2015032837.tif 000004
【図３】
2015032837.tif 000005
【図４】
2015032837.tif 000006
【図５】
2015032837.tif 000007
【図６】
2015032837.tif 000008
【図７】
2015032837.tif 000009
【図８】
2015032837.tif 000010
【図９】
2015032837.tif 000011
【図１０】
2015032837.tif 000012
【図１１】
2015032837.tif 000013
【図１２】
2015032837.tif 000014
【図１３】
2015032837.tif 000015
【図１４】
2015032837.tif 000016
【図１５】
2015032837.tif 000017
【図１６】
2015032837.tif 000018